(57)【要約】【課題】検査上のヒューマンエラーのリスクを低減する記録装置を提供することを目的とする。【解決手段】本出願は、水素ステーションに対する検査結果の記録に用いられる携帯型の記録装置を開示する。記録装置は、検査結果の入力を受け付ける入力画像と、水素ステーション中の回路構成の一部を表す回路構成画像と、を生成する画像生成部と、入力画像及び回路構成画像を表示する表示部と、表示部に表示された入力画像を用いて入力された検査結果を記憶する記憶部と、を備える。入力画像は、水素ステーション上で予め設定された複数の検査箇所と、複数の検査箇所に対応してそれぞれ表示される複数の入力ウィンドウと、を表す。表示部上に表示された複数の検査箇所のうち１つが指定されると、画像生成部は、指定された検査箇所が表示部に表示されるように回路構成画像を生成する。【選択図】図１
2019028675.tif 000002
【特許請求の範囲】
【請求項１】
水素ステーションに対する検査結果の記録に用いられる携帯型の記録装置であって、
前記検査結果の入力を受け付ける入力画像と、前記水素ステーション中の回路構成の一部を表す回路構成画像と、を生成する画像生成部と、
前記入力画像及び前記回路構成画像を表示する表示部と、
前記表示部に表示された前記入力画像を用いて入力された前記検査結果を記憶する記憶部と、を備え、
前記入力画像は、前記水素ステーション上で予め設定された複数の検査箇所をそれぞれ表す複数のアイコンと、前記複数の検査箇所に対応してそれぞれ表示される複数の入力ウィンドウと、を表し、
前記表示部上に表示された前記複数の検査箇所のうち１つが前記複数のアイコンのうち１つへの操作によって指定されると、前記画像生成部は、前記指定された検査箇所が、前記回路構成の前記一部として、前記表示部に表示されるように前記回路構成画像を生成する
記録装置。
【請求項２】
前記表示部上に表示された前記複数の検査箇所のうち１つが指定されると、前記画像生成部は、前記指定された検査箇所が含まれるように、前記水素ステーションの一部の写真画像を前記表示部に表示させる
請求項１に記載の記録装置。
【請求項３】
前記画像生成部は、前記水素ステーションを、予め設定された複数の検査領域に区分し、前記複数の検査領域のうち１つを検査者に選択させる領域選択画像を生成し、
前記選択された検査領域が、前記水素ステーションの圧縮機であるとき、前記画像生成部は、前記入力画像として、前記圧縮機を検査するために設定された前記複数の検査箇所をそれぞれ表す前記複数のアイコンと、前記圧縮機を検査するために設定された前記複数の検査箇所に対応してそれぞれ表示される前記複数の入力ウィンドウと、を表す前記圧縮機用の入力画像を生成し、
前記選択された検査領域が、前記水素ステーションの冷凍機であるとき、前記画像生成部は、前記入力画像として、前記冷凍機を検査するために設定された前記複数の検査箇所をそれぞれ表す前記複数のアイコンと、前記冷凍機を検査するために設定された前記複数の検査箇所に対応してそれぞれ表示される前記複数の入力ウィンドウと、を表す前記冷凍機用の入力画像を生成し、
前記選択された検査領域が、前記水素ステーションの蓄圧器であるとき、前記画像生成部は、前記入力画像として、前記蓄圧器を検査するために設定された前記複数の検査箇所をそれぞれ表す前記複数のアイコンと、前記蓄圧器を検査するために設定された前記複数の検査箇所に対応してそれぞれ表示される前記複数の入力ウィンドウと、を表す前記蓄圧器用の入力画像を生成する
請求項１又は２に記載の記録装置。
【請求項４】
前記画像生成部は、前記入力画像として、所定の第１検査項目に対する前記検査結果を受け付ける第１入力画像を生成し、
前記第１入力画像は、前記第１検査項目に対して設定された前記複数の検査箇所をそれぞれ表す前記複数のアイコンと、前記第１検査項目に対して設定された前記複数の検査箇所に対応してそれぞれ表示される前記複数の入力ウィンドウと、前記第１検査項目用の前記複数の入力ウィンドウ全てへの入力が完了したことの通知を検査者から受け付ける完了受付像と、を含み、
前記第１検査項目用の前記複数の入力ウィンドウ全てへの入力の完了前に、前記完了受付像が、前記検査者から前記通知を受け付けると、前記画像生成部は、エラーメッセージを前記表示部に表示させる
請求項１又は２に記載の記録装置。
【請求項５】
前記画像生成部は、前記入力画像として、前記第１検査項目とは内容において異なる所定の第２検査項目に対する前記検査結果を入力するための第２入力画像と、を生成し、
前記第１検査項目用の前記複数の入力ウィンドウ全てへの前記入力の前記完了の後に、前記完了受付像が、前記検査者から前記通知を受け付けると、前記画像生成部は、前記第２入力画像を、前記表示部に表示させる
請求項４に記載の記録装置。
【請求項６】
前記入力画像を用いて入力された前記検査結果を出力する出力部を更に備え、
前記第１検査項目用の前記複数の入力ウィンドウ全てへの前記入力の前記完了の後に、前記完了受付像が、前記検査者から前記通知を受け付けると、前記出力部は、前記検査結果を外部装置へ出力する
請求項４に記載の記録装置。
【請求項７】
前記入力画像中の前記複数の検査箇所は、前記回路構成画像中の前記複数の検査箇所の整列順序に則って表示される
請求項１乃至６のいずれか１項に記載の記録装置。
【発明の詳細な説明】
【技術分野】
【０００１】
本発明は、水素ステーションに対する検査結果の記録に用いられる記録装置に関する。
【背景技術】
【０００２】
水素ステーションは、圧縮機ユニット、冷凍機、蓄圧器ユニット及びディスペンサといった様々な機器を備える（特許文献１を参照）。複数の計器は、これらの機器それぞれに取り付けられている。検査者は、複数の計器が示す数値を定期的に記録し、異常が、これらの機器に生じているか否かを点検している。これらの計器が取り付けられている部位に加えて、検査者は、所定の検査箇所（たとえば、配管からの漏気や漏液）を点検する必要がある。
【先行技術文献】
【特許文献】
【０００３】
【特許文献１】特開２０１６−１３３１４２号公報
【発明の概要】
【発明が解決しようとする課題】
【０００４】
従来、検査者は、検査結果を記録紙に記録している。上述の如く、検査者は、水素ステーションの様々な部位を検査しなければならないので、誤った記録をしたり、点検されるべき部位の点検を忘れたりすることもある。たとえば、検査者は、「計器Ａ」が指し示す数値を、「計器Ａ」とは異なる「計器Ｂ」用の記録欄に記録してしまうこともある。あるいは、一通りの検査作業を終えた検査者が、未記入の記録欄に気付くこともある。この場合、検査者は、検査作業を改めてしなければならないこともある。計器や検査箇所が密集しているならば、このような検査上のヒューマンエラーは、特に生じやすい。
【０００５】
本発明は、検査上のヒューマンエラーのリスクを低減する記録装置を提供することを目的とする。
【課題を解決するための手段】
【０００６】
本発明の一局面に係る携帯型の記録装置は、水素ステーションに対する検査結果の記録に用いられる。記録装置は、前記検査結果の入力を受け付ける入力画像と、前記水素ステーション中の回路構成の一部を表す回路構成画像と、を生成する画像生成部と、前記入力画像及び前記回路構成画像を表示する表示部と、前記表示部に表示された前記入力画像を用いて入力された前記検査結果を記憶する記憶部と、を備える。前記入力画像は、前記水素ステーション上で予め設定された複数の検査箇所をそれぞれ表す複数のアイコンと、前記複数の検査箇所に対応してそれぞれ表示される複数の入力ウィンドウと、を表す。前記表示部上に表示された前記複数の検査箇所のうち１つが前記複数のアイコンのうち１つへの操作によって指定されると、前記画像生成部は、前記指定された検査箇所が、前記回路構成の前記一部として、前記表示部に表示されるように前記回路構成画像を生成する。
【０００７】
上記の構成によれば、入力画像の複数の入力ウィンドウは、水素ステーション上で予め設定された複数の検査箇所に対応してそれぞれ表示されるので、検査者は、複数の検査箇所それぞれにおいて得られた検査結果を、対応する入力ウィンドウに入力することができる。記憶部は、表示部に表示された入力画像を用いて入力された検査結果を記憶するので、記録装置は、入力ウィンドウに入力された検査結果を保持することができる。記録装置によって保持された検査結果は、日報や月報の作成に利用可能である。したがって、作業者による日報や月報の作成の手間が軽減される。
【０００８】
検査者が、複数のアイコンのうち１つを用いて、表示部上に表示された複数の検査箇所のうち１つを指定すると、指定された検査箇所が、回路構成の一部として、表示部に表示されるように、画像生成部は、回路構成画像を生成するので、検査者は、表示部に表示された回路構成画像を参照し、回路構成上のどの部位を検査しているかを認識した上で所定の検査を行うことができる。検査者は、水素ステーション上の実際の検査箇所を、回路構成上の検査箇所と照らし合わせることができるので、検査漏れや誤記入といった検査上のヒューマンエラーのリスクは、大幅に低減される。
【０００９】
上記の構成に関して、前記表示部上に表示された前記複数の検査箇所のうち１つが指定されると、前記画像生成部は、前記指定された検査箇所が含まれるように、前記水素ステーションの一部の写真画像を前記表示部に表示させてもよい。
【００１０】
上記の構成によれば、表示部上に表示された複数の検査箇所のうち１つが指定されると、画像生成部は、指定された検査箇所が含まれるように、水素ステーションの一部の写真画像を表示部に表示させるので、検査者が認識している検査箇所が、写真画像に表される検査箇所と相違しているならば、検査者は、これらの検査箇所間の不整合に気付くことができる。したがって、検査上のヒューマンエラーのリスクは、大幅に低減される。
【００１１】
上記の構成に関して、前記画像生成部は、前記水素ステーションを、予め設定された複数の検査領域に区分し、前記複数の検査領域のうち１つを検査者に選択させる領域選択画像を生成してもよい。前記選択された検査領域が、前記水素ステーションの圧縮機であるとき、前記画像生成部は、前記入力画像として、前記圧縮機を検査するために設定された前記複数の検査箇所をそれぞれ表す前記複数のアイコンと、前記圧縮機を検査するために設定された前記複数の検査箇所に対応してそれぞれ表示される前記複数の入力ウィンドウと、を表す前記圧縮機用の入力画像を生成してもよい。前記選択された検査領域が、前記水素ステーションの冷凍機であるとき、前記画像生成部は、前記入力画像として、前記冷凍機を検査するために設定された前記複数の検査箇所をそれぞれ表す前記複数のアイコンと、前記冷凍機を検査するために設定された前記複数の検査箇所に対応してそれぞれ表示される前記複数の入力ウィンドウと、を表す前記冷凍機用の入力画像を生成してもよい。前記選択された検査領域が、前記水素ステーションの蓄圧器であるとき、前記画像生成部は、前記入力画像として、前記蓄圧器を検査するために設定された前記複数の検査箇所をそれぞれ表す前記複数のアイコンと、前記蓄圧器を検査するために設定された前記複数の検査箇所に対応してそれぞれ表示される前記複数の入力ウィンドウと、を表す前記蓄圧器用の入力画像を生成してもよい。
【００１２】
水素ステーションの検査箇所は、多岐に亘る。したがって、全ての検査箇所が、一覧されるように入力画像が生成されるならば、入力画像は、検査者にとって見難くなり、検査上のヒューマンエラーを引き起こしやすくなる。しかしながら、画像生成部は、水素ステーションを、予め設定された複数の検査領域に区分し、複数の検査領域のうち１つを検査者に選択させる領域選択画像を生成するので、画像生成部は、選択された検査領域ごとに入力画像を生成し、検査者に検査結果の入力を求めることができる。選択された検査領域が、前記水素ステーションの圧縮機であるとき、画像生成部は、入力画像として、圧縮機を検査するために設定された複数の検査箇所をそれぞれ表す複数のアイコンと、圧縮機を検査するために設定された複数の検査箇所に対応してそれぞれ表示される複数の入力ウィンドウと、を含む圧縮機用の入力画像を生成するので、圧縮機用の入力画像は、圧縮機の検査に不必要な冷凍機や蓄圧器の情報を含まなくてもよい。したがって、圧縮機用の入力画像は、圧縮機を検査する検査者にとって見やすくなる。選択された検査領域が、水素ステーションの冷凍機であるとき、画像生成部は、入力画像として、冷凍機を検査するために設定された複数の検査箇所をそれぞれ表す複数のアイコンと、冷凍機を検査するために設定された複数の検査箇所に対応してそれぞれ表示される複数の入力ウィンドウと、を含む冷凍機用の入力画像を生成するので、冷凍機用の入力画像は、冷凍機の検査に不必要な蓄圧器や圧縮機の情報を含まなくてもよい。したがって、冷凍機用の入力画像は、冷凍機を検査する検査者にとって見やすくなる。選択された検査領域が、水素ステーションの蓄圧器であるとき、画像生成部は、入力画像として、蓄圧器を検査するために設定された複数の検査箇所をそれぞれ表す複数のアイコンと、蓄圧器を検査するために設定された複数の検査箇所に対応してそれぞれ表示される複数の入力ウィンドウと、を含む蓄圧器用の入力画像を生成するので、蓄圧器用の入力画像は、蓄圧器の検査に不必要な圧縮機や冷凍機の情報を含まなくてもよい。したがって、蓄圧器用の入力画像は、蓄圧器を検査する検査者にとって見やすくなる。
【００１３】
上記の構成に関して、前記画像生成部は、前記入力画像として、所定の第１検査項目に対する前記検査結果を受け付ける第１入力画像を生成してもよい。前記第１入力画像は、前記第１検査項目に対して設定された前記複数の検査箇所をそれぞれ表す前記複数のアイコンと、前記第１検査項目に対して設定された前記複数の検査箇所に対応してそれぞれ表示される前記複数の入力ウィンドウと、前記第１検査項目用の前記複数の入力ウィンドウ全てへの入力が完了したことの通知を検査者から受け付ける完了受付像と、を含んでもよい。前記第１検査項目用の前記複数の入力ウィンドウ全てへの入力の完了前に、前記完了受付像が、前記検査者から前記通知を受け付けると、前記画像生成部は、エラーメッセージを前記表示部に表示させてもよい。
【００１４】
上記の構成によれば、検査者は、複数の検査箇所で、第１検査項目の検査を行い、第１検査項目の複数の検査結果を複数の入力ウィンドウにそれぞれ入力することができる。加えて、検査者は、完了受付像を操作し、第１検査項目用の複数の入力ウィンドウ全てへの入力が完了したことを記録装置に通知することができる。検査者が、第１検査項目用の複数の入力ウィンドウ全てへの入力の完了前に、完了受付像を誤って操作することもある。この場合、画像生成部は、エラーメッセージを表示部に表示させるので、検査者は、未入力の入力ウィンドウの存在又は未検査の検査箇所の存在を知ることができる。したがって、検査上のヒューマンエラーのリスクは、大幅に低減される。
【００１５】
上記の構成に関して、前記画像生成部は、前記入力画像として、前記第１検査項目とは内容において異なる所定の第２検査項目に対する前記検査結果を入力するための第２入力画像と、を生成してもよい。前記第１検査項目用の前記複数の入力ウィンドウ全てへの前記入力の前記完了の後に、前記完了受付像が、前記検査者から前記通知を受け付けると、前記画像生成部は、前記第２入力画像を、前記表示部に表示させてもよい。
【００１６】
上記の構成によれば、第１検査項目用の複数の入力ウィンドウ全てへの入力の完了の後に、完了受付像が、検査者から通知を受け付けると、画像生成部は、第１検査項目とは内容において異なる所定の第２検査項目に対する検査結果を入力するための第２入力画像を、表示部に表示させるので、記録装置は、内容において異なる複数の検査項目の検査を、検査者に順次促すことができる。したがって、検査者は、様々な検査項目の検査を漏れなく実行することができる。この結果、検査上のヒューマンエラーのリスクは、大幅に低減される。
【００１７】
上記の構成に関して、記録装置は、前記入力画像を用いて入力された前記検査結果を出力する出力部を更に備えてもよい。前記第１検査項目用の前記複数の入力ウィンドウ全てへの前記入力の前記完了の後に、前記完了受付像が、前記検査者から前記通知を受け付けると、前記出力部は、前記検査結果を外部装置へ出力してもよい。
【００１８】
上記の構成によれば、第１検査項目用の複数の入力ウィンドウ全てへの入力の完了の後に、完了受付像が、検査者から通知を受け付けると、出力部は、検査結果を出力するので、検査結果は、記録装置に記録されるだけでなく、外部装置にも伝達される。検査者は、外部装置を用いて、検査結果を解析してもよいし、他の記録媒体に検査結果を移すこともできる。
【００１９】
上記の構成に関して、前記入力画像中の前記複数の検査箇所は、前記回路構成画像中の前記複数の検査箇所の整列順序に則って表示されてもよい。
【００２０】
上記の構成によれば、入力画像中の複数の検査箇所は、回路構成画像中の複数の検査箇所の整列順序に則って表示されるので、検査者は、入力画像中の複数の検査箇所を、回路構成上の検査箇所と容易に照らし合わせることができる。したがって、検査漏れや誤記入といった検査上のヒューマンエラーのリスクは、大幅に低減される。
【発明の効果】
【００２１】
上述の記録装置は、検査上のヒューマンエラーのリスクを低減することができる。
【図面の簡単な説明】
【００２２】
【図１】例示的な記録装置の概略的な機能構成を表すブロック図である。
【図２Ａ】図１に示される記録装置の表示部に表示される例示的な画像である。
【図２Ｂ】表示部に表示される他のもう１つの画像である。
【図３】水素ステーションの圧縮機用の例示的な入力画像である。
【図４】図３に示される入力画像の位置ボタン像を押圧したときに表示部に表示される画像である。
【図５】図３に示される入力画像の完了ボタン像を押圧したときに表示部に表示される他のもう１つの入力画像である。
【図６】記録装置の例示的な動作を表す概略的なフローチャートである。
【図７】図１に示される記録装置の動作制御部の例示的な動作を表す概略的なフローチャートである。
【発明を実施するための形態】
【００２３】
図１は、例示的な記録装置１００の概略的な機能構成を表すブロック図である。図１を参照して、記録装置１００が説明される。
【００２４】
記録装置１００は、水素ステーション（図示せず）に対して行われた検査の結果の記録に用いられる携帯型の装置である。記録装置１００は、タブレットであってもよいし、スマートホンであってもよいし、ラップトップ型のパーソナルコンピュータであってもよい。本実施形態の原理は、記録装置１００として用いられる特定の装置に限定されない。
【００２５】
記録装置１００に入力された検査結果は、記録装置１００から離隔して配置された外部装置２００へ出力される。外部装置２００は、プリンタであってもよいし、コンピュータサーバであってもよい。本実施形態の原理は、外部装置２００として用いられる特定の装置に限定されない。
【００２６】
検査結果は、無線信号として、記録装置１００から外部装置２００へ出力されてもよい。代替的に、作業者は、信号ケーブルを用いて、記録装置１００を外部装置２００に接続し、検査結果を記録装置１００から外部装置２００へ出力してもよい。本実施形態の原理は、検査結果を外部装置２００へ出力するための特定の方法に限定されない。
【００２７】
記録装置１００は、画像生成部１１０と、表示部１２０と、入力部１３０と、動作制御部１４０と、記憶部１５０と、出力部１６０と、を備える。検査者が、記録装置１００を起動すると、動作制御部１４０は、所定の画像の生成を画像生成部１１０に要求する。画像生成部１１０は、動作制御部１４０によって要求された画像を表す画像信号を生成する。画像信号は、画像生成部１１０から表示部１２０へ出力される。
【００２８】
記録装置１００が、タブレットやスマートホンであるならば、表示部１２０及び入力部１３０は、タッチパネルを形成してもよい。記録装置１００が、ラップトップ型のパーソナルコンピュータであるならば、表示部１２０は、コンピュータモニタであり、入力部１３０は、キーボードであってもよい。
【００２９】
表示部１２０は、画像信号に応じて、様々な画像を表示する。検査者は、これらの画像を見て、検査箇所を確認したり、入力部１３０を操作し、検査結果を入力したりすることができる。検査者が、入力部１３０を操作すると、入力部１３０は、検査者の入力内容を表す入力信号を生成する。入力信号は、入力部１３０から動作制御部１４０へ出力される。動作制御部１４０は、入力信号を参照し、検査者が何を要求しているかを判断したり、検査結果の入力作業が完了しているかを判断したりする。検査者が、入力部１３０を操作し、水素ステーションの圧縮機の検査に用いられる画像の表示を要求しているならば、動作制御部１４０は、圧縮機用の画像の生成を画像生成部１１０に要求する。検査者が、入力部１３０を操作し、検査結果の入力を終えるならば、動作制御部１４０は、検査結果を記憶部１５０に書き込む。検査者が、入力部１３０を操作し、外部装置２００への検査結果の出力を要求するならば、動作制御部１４０は、出力部１６０に検査結果の出力を要求してもよい。代替的に、動作制御部１４０は、検査結果の入力の完了に応じて、出力部１６０に検査結果の出力を要求してもよい。この場合、検査結果は、検査者による入力部１３０の操作なくして、出力部１６０から外部装置２００へ自動的に出力される。
【００３０】
上述の如く、検査結果は、動作制御部１４０によって記憶部１５０に書き込まれる。したがって、記憶部１５０は、検査結果を保持することができる。加えて、記憶部１５０は、画像生成部１１０が画像信号を生成するのに必要とする画像データを保持していてもよい。動作制御部１４０は、記憶部１５０から画像データを読み出す。読み出された画像データは、画像信号の生成を要求する画像生成要求とともに、又は、画像生成要求として、動作制御部１４０から画像生成部１１０へ出力される。画像生成部１１０は、画像データを用いて、画像生成要求によって要求された画像を表す画像信号を生成する。
【００３１】
上述の如く、出力部１６０は、検査結果の出力を要求する出力要求を、動作制御部１４０から受け取る。出力部１６０は、出力要求に応じて、記憶部１５０から検査結果を読み出す。出力部１６０は、読み出された検査結果を表す出力信号を生成する。出力信号は、出力部１６０から外部装置２００へ出力される。
【００３２】
図２Ａ及び図２Ｂは、表示部１２０に表示される例示的な画像ＩＭ１，ＩＭ２である。図１乃至図２Ｂを参照して、画像ＩＭ１，ＩＭ２が説明される。
【００３３】
検査者が、記録装置１００を起動すると、表示部１２０は、画像ＩＭ１を表示する。画像ＩＭ１は、ボタン像ＢＴ１，ＢＴ２を含む。検査者が、日常点検を行うとき、検査者は、ボタン像ＢＴ１を押圧する。検査者が、月次点検を行うとき、検査者は、ボタン像ＢＴ２を押圧する。日常点検は、月次点検とは、検査領域や検査項目において相違している。検査者が、ボタン像ＢＴ１を押圧すると、日常点検に必要とされる情報のみが、表示部１２０に表示される。月次点検用の情報は、不必要に表示されないので、検査者は、日常点検の検査結果を、記録装置１００に円滑に入力することができる。検査者が、ボタン像ＢＴ２を押圧すると、月次点検に必要とされる情報のみが、表示部１２０に表示される。日常点検用の情報は、不必要に表示されないので、検査者は、月次点検の検査結果を、記録装置１００に円滑に入力することができる。
【００３４】
検査者が、ボタン像ＢＴ１を押圧すると、入力部１３０は、押圧位置を表す入力信号を生成する。画像ＩＭ１を表す画像信号の生成を画像生成部１１０に要求した動作制御部１４０は、入力信号が表す押圧位置から、検査者が、日常点検を実行しようとしていると判断することができる。動作制御部１４０は、その後、画像ＩＭ２を表す画像データを記憶部１５０から読み出し、画像ＩＭ２を表す画像信号の生成を要求する画像生成要求を生成する。画像生成要求は、動作制御部１４０から画像生成部１１０へ出力される。画像生成部１１０は、画像生成要求に応じて、画像ＩＭ２を表す画像信号を生成する。画像信号は、画像生成部１１０から表示部１２０へ出力される。表示部１２０は、画像信号に応じて、画像ＩＭ２を表示する。この結果、表示部１２０上の画像は、画像ＩＭ１から画像ＩＭ２へ切り替えられる。
【００３５】
画像ＩＭ２は、水素ステーション（図示せず）を、予め設定された複数の検査領域に区分し、複数の検査領域のうち１つを検査者に選択させるための領域選択画像として用いられる。画像ＩＭ２は、ボタン像ＡＢ１〜ＡＢ５を含む。検査者は、ボタン像ＡＢ１を押圧し、水素ステーションの圧縮機が配置された領域を、検査対象の領域として選択することができる。検査者は、ボタン像ＡＢ２を押圧し、水素ステーションの冷凍機が配置された領域を、検査対象の領域として選択することができる。検査者は、ボタン像ＡＢ３を押圧し、水素ステーションの蓄圧器が配置された領域を、検査対象の領域として選択することができる。検査者は、ボタン像ＡＢ４を押圧し、水素ステーションのディスペンサが配置された領域を、検査対象の領域として選択することができる。ボタン像ＡＢ１〜ＡＢ４とは異なり、ボタン像ＡＢ５は、検査領域の指定には用いられず、検査対象物の指定に用いられる。検査者は、ボタン像ＡＢ５を押圧し、冷却水を検査対象物として指定することができる。
【００３６】
検査者が、ボタン像ＡＢ１を押圧すると、入力部１３０は、押圧位置を表す入力信号を生成する。画像ＩＭ２を表す画像信号の生成を画像生成部１１０に要求した動作制御部１４０は、入力信号が表す押圧位置から、検査者が、圧縮機が配置された領域を、検査対象の領域として選択したことを判断することができる。動作制御部１４０は、その後、圧縮機用の入力画像を、検査結果の入力を受け付ける入力画像として生成することを要求する画像生成要求を生成する。画像生成要求は、動作制御部１４０から画像生成部１１０へ出力される。画像生成部１１０は、画像生成要求に応じて、圧縮機用の入力画像を表す画像信号を生成する。画像信号は、画像生成部１１０から表示部１２０へ出力される。表示部１２０は、画像信号に応じて、圧縮機用の入力画像を表示する。
【００３７】
検査者が、ボタン像ＡＢ２を押圧すると、入力部１３０は、押圧位置を表す入力信号を生成する。画像ＩＭ２を表す画像信号の生成を画像生成部１１０に要求した動作制御部１４０は、入力信号が表す押圧位置から、検査者が、冷凍機が配置された領域を、検査対象の領域として選択したことを判断することができる。動作制御部１４０は、その後、冷凍機用の入力画像を、検査結果の入力を受け付ける入力画像として生成することを要求する画像生成要求を生成する。画像生成要求は、動作制御部１４０から画像生成部１１０へ出力される。画像生成部１１０は、画像生成要求に応じて、冷凍機用の入力画像を表す画像信号を生成する。画像信号は、画像生成部１１０から表示部１２０へ出力される。表示部１２０は、画像信号に応じて、冷凍機用の入力画像を表示する。
【００３８】
検査者が、ボタン像ＡＢ３を押圧すると、入力部１３０は、押圧位置を表す入力信号を生成する。画像ＩＭ２を表す画像信号の生成を画像生成部１１０に要求した動作制御部１４０は、入力信号が表す押圧位置から、検査者が、蓄圧器が配置された領域を、検査対象の領域として選択したことを判断することができる。動作制御部１４０は、その後、蓄圧器用の入力画像を、検査結果の入力を受け付ける入力画像として生成することを要求する画像生成要求を生成する。画像生成要求は、動作制御部１４０から画像生成部１１０へ出力される。画像生成部１１０は、画像生成要求に応じて、蓄圧器用の入力画像を表す画像信号を生成する。画像信号は、画像生成部１１０から表示部１２０へ出力される。表示部１２０は、画像信号に応じて、蓄圧器用の入力画像を表示する。
【００３９】
検査者が、ボタン像ＡＢ４を押圧すると、入力部１３０は、押圧位置を表す入力信号を生成する。画像ＩＭ２を表す画像信号の生成を画像生成部１１０に要求した動作制御部１４０は、入力信号が表す押圧位置から、検査者が、ディスペンサが配置された領域を、検査対象の領域として選択したことを判断することができる。動作制御部１４０は、その後、ディスペンサ用の入力画像を、検査結果の入力を受け付ける入力画像として生成することを要求する画像生成要求を生成する。画像生成要求は、動作制御部１４０から画像生成部１１０へ出力される。画像生成部１１０は、画像生成要求に応じて、ディスペンサ用の入力画像を表す画像信号を生成する。画像信号は、画像生成部１１０から表示部１２０へ出力される。表示部１２０は、画像信号に応じて、ディスペンサ用の入力画像を表示する。
【００４０】
検査者が、ボタン像ＡＢ５を押圧すると、入力部１３０は、押圧位置を表す入力信号を生成する。画像ＩＭ２を表す画像信号の生成を画像生成部１１０に要求した動作制御部１４０は、入力信号が表す押圧位置から、検査者が、冷却水を、検査対象物として選択したことを判断することができる。動作制御部１４０は、その後、冷却水用の入力画像を、検査結果の入力を受け付ける入力画像として生成することを要求する画像生成要求を生成する。画像生成要求は、動作制御部１４０から画像生成部１１０へ出力される。画像生成部１１０は、画像生成要求に応じて、冷却水用の入力画像を表す画像信号を生成する。画像信号は、画像生成部１１０から表示部１２０へ出力される。表示部１２０は、画像信号に応じて、冷却水用の入力画像を表示する。
【００４１】
図３は、圧縮機用の例示的な入力画像ＩＰ１である。図１、図２Ｂ及び図３を参照して、入力画像ＩＰ１が説明される。
【００４２】
検査者が、図２Ｂを参照して説明されたボタン像ＡＢ１を押圧すると、表示部１２０は、入力画像ＩＰ１を表示する。検査者は、圧縮機に対する検査の結果を、入力画像ＩＰ１へ入力することができる。
【００４３】
図３に示される入力画像ＩＰ１は、水素の圧力の検査結果を入力するために用いられる。本実施形態に関して、入力画像ＩＰ１は、第１入力画像の一例である。水素の圧力は、第１検査項目の一例である。
【００４４】
入力画像ＩＰ１は、点検者の氏名を選択するための２つの選択ボタン像ＳＢ１，ＳＢ２を含む。点検者の氏名は、記憶部１５０に予め記憶されている。検査者が、選択ボタン像ＳＢ１，ＳＢ２のうち一方を押圧すると、入力部１３０は、押圧位置を表す入力信号を生成する。入力画像ＩＰ１を表す画像信号の生成を画像生成部１１０に要求した動作制御部１４０は、入力信号が表す押圧位置から、検査者が、点検者を選択しようとしていることを判断することができる。動作制御部１４０は、記憶部１５０から点検者の氏名を読み出し、点検者が、選択ボタン像ＳＢ１，ＳＢ２のうち一方を押圧している間、選択ボタン像ＳＢ１，ＳＢ２の右側の領域に点検者の氏名を順次表示するための画像信号の生成を要求する。画像生成要求は、動作制御部１４０から画像生成部１１０へ出力される。画像生成部１１０は、画像生成要求に応じて、点検者の氏名を順次表示するための画像信号を生成する。画像信号は、画像生成部１１０から表示部１２０へ出力される。表示部１２０は、画像信号に応じて、点検者の氏名を、選択ボタン像ＳＢ１，ＳＢ２の右側の領域に順次表示する。
【００４５】
入力画像ＩＰ１は、圧縮機の周囲の水素の圧力を検査するために予め設定された複数の検査箇所をそれぞれ表す複数の位置ボタン像ＰＢ１〜ＰＢ５を含む。位置ボタン像ＰＢ１〜ＰＢ５それぞれの上には、水素の圧力を測定するために用いられる計器（圧力計）の識別子が表示されている。しかしながら、検査者は、位置ボタン像ＰＢ１〜ＰＢ５上の識別子を見ただけでは、水素ステーションのどの計器が、入力対象であるかを判断できないこともある。この場合、検査者は、位置ボタン像ＰＢ１〜ＰＢ５のうち１つ（検査者が、確認を望む計器に対応する位置ボタン像）を押圧し、入力対象の計器の確認を可能とする画像を呼び出すことができる。たとえば、検査者が、識別子「ＰＩ−１０１」が付された位置ボタン像ＰＢ１を押圧するならば、表示部１２０は、識別子「ＰＩ−１０１」に対応する計器を含む回路構成画像及び識別子「ＰＩ−１０１」に対応する計器及び当該計器の周囲の構造を表す水素ステーションの一部の写真画像を表示する。検査者は、回路構成画像及び写真画像を参照し、識別子「ＰＩ−１０１」に対応する計器が水素ステーション内のどこに配置されているかを確認することができる。したがって、検査結果の誤入力のリスクは、大幅に低減される。本実施形態に関して、複数の位置ボタン像ＰＢ１〜ＰＢ５は、複数のアイコンの一例である。
【００４６】
入力画像ＩＰ１は、位置ボタン像ＰＢ１〜ＰＢ５に対応する入力ウィンドウＩＷ１〜ＩＷ５を含む。検査者は、入力ウィンドウＩＷ１〜ＩＷ５に、計器が指し示す水素の圧力を入力することができる。入力ウィンドウＩＷ１は、位置ボタン像ＰＢ１の右側に表示されている。入力ウィンドウＩＷ２は、位置ボタン像ＰＢ２の右側に表示されている。入力ウィンドウＩＷ３は、位置ボタン像ＰＢ３の右側に表示されている。入力ウィンドウＩＷ４は、位置ボタン像ＰＢ４の右側に表示されている。入力ウィンドウＩＷ５は、位置ボタン像ＰＢ５の右側に表示されている。入力ウィンドウＩＷ１〜ＩＷ５は、位置ボタン像ＰＢ１〜ＰＢ５に水平方向にそれぞれ整列されているので、検査者は、入力ウィンドウＩＷ１〜ＩＷ５と位置ボタン像ＰＢ１〜ＰＢ５とを直感的に対応付けることができる。
【００４７】
検査者が、入力ウィンドウＩＷ１に、水素の圧力を入力すると、入力画像ＩＰ１を表す画像信号の生成を画像生成部１１０に要求した動作制御部１４０は、識別子「ＰＩ−１０１」に対応する計器が、入力ウィンドウＩＷ１に入力された値の圧力を指し示していると判断することができる。検査者が、入力ウィンドウＩＷ２に、水素の圧力を入力すると、入力画像ＩＰ１を表す画像信号の生成を画像生成部１１０に要求した動作制御部１４０は、識別子「ＰＩ−２０１」に対応する計器が、入力ウィンドウＩＷ２に入力された値の圧力を指し示していると判断することができる。検査者が、入力ウィンドウＩＷ３に、水素の圧力を入力すると、入力画像ＩＰ１を表す画像信号の生成を画像生成部１１０に要求した動作制御部１４０は、識別子「ＰＩ−３０１」に対応する計器が、入力ウィンドウＩＷ３に入力された値の圧力を指し示していると判断することができる。検査者が、入力ウィンドウＩＷ４に、水素の圧力を入力すると、入力画像ＩＰ１を表す画像信号の生成を画像生成部１１０に要求した動作制御部１４０は、識別子「ＰＩ−４０１」に対応する計器が、入力ウィンドウＩＷ４に入力された値の圧力を指し示していると判断することができる。検査者が、入力ウィンドウＩＷ５に、水素の圧力を入力すると、入力画像ＩＰ１を表す画像信号の生成を画像生成部１１０に要求した動作制御部１４０は、識別子「ＰＩ−５０１」に対応する計器が、入力ウィンドウＩＷ５に入力された値の圧力を指し示していると判断することができる。動作制御部１４０は、入力ウィンドウＩＷ１〜ＩＷ５に入力された数値を一時的に保持する。
【００４８】
入力画像ＩＰ１は、完了ボタン像ＣＢＩを含む。完了ボタン像ＣＢＩは、入力ウィンドウＩＷ１〜ＩＷ５全てへの入力が完了したことの通知を検査者から受け付ける完了受付像として用いられる。入力ウィンドウＩＷ１〜ＩＷ５全てへの入力を終えた検査者は、完了ボタン像ＣＢＩを押圧し、次の入力画像を要求することができる。
【００４９】
検査者が、完了ボタン像ＣＢＩを押圧すると、入力部１３０は、押圧位置を表す入力信号を生成する。入力画像ＩＰ１を表す画像信号の生成を画像生成部１１０に要求した動作制御部１４０は、入力信号が表す押圧位置から、検査者が、次の入力画像を要求していると判断することができる。動作制御部１４０は、その後、入力ウィンドウＩＷ１〜ＩＷ５全てに数値が入力されているか否かを検証する。数値が、入力ウィンドウＩＷ１〜ＩＷ５全てに入力されているならば、動作制御部１４０は、これらの数値を、水素の圧力を表すデータとして、記憶部１５０に書き込む。この結果、水素の圧力に関する検査結果は、記憶部１５０に保持されることになる。入力ウィンドウＩＷ１〜ＩＷ５全てへの入力が未完であるならば、動作制御部１４０は、エラーメッセージを表す画像信号の生成を要求する画像生成要求を生成する。画像生成要求は、動作制御部１４０から画像生成部１１０へ出力される。画像生成部１１０は、画像生成要求に応じて、エラーメッセージを表示するための画像信号を生成する。画像信号は、画像生成部１１０から表示部１２０へ出力される。表示部１２０は、画像信号に応じて、エラーメッセージを表示する。検査者は、表示部１２０上に表示されたエラーメッセージを見て、水素の圧力の検査結果の入力が未完であることを知ることができる。したがって、検査漏れにリスクは、大幅に低減される。
【００５０】
図４は、検査者が、位置ボタン像ＰＢ１を押圧したときに表示部１２０に表示される画像ＩＭ３である。図１、図３及び図４を参照して、画像ＩＭ３が説明される。
【００５１】
検査者が、位置ボタン像ＰＢ１を押圧すると、入力部１３０は、押圧位置を表す入力信号を生成する。入力画像ＩＰ１を表す画像信号の生成を画像生成部１１０に要求した動作制御部１４０は、入力信号が表す押圧位置から、検査者が、識別子「ＰＩ−１０１」に対応する計器の確認を求めていると判断する。動作制御部１４０は、その後、画像ＩＭ３を表す画像信号の生成を要求する画像生成要求を生成する。画像生成要求は、動作制御部１４０から画像生成部１１０へ出力される。画像生成部１１０は、画像生成要求に応じて、画像ＩＭ３を表示するための画像信号を生成する。画像信号は、画像生成部１１０から表示部１２０へ出力される。表示部１２０は、画像信号に応じて、画像ＩＭ３を表示する。検査者は、表示部１２０上に表示された画像ＩＭ３を見て、識別子「ＰＩ−１０１」に対応する計器がどこにあるか及び識別子「ＰＩ−１０１」に対応する計器がどれであるかを確認することができる。
【００５２】
画像ＩＭ３は、回路構成画像ＣＳＩを含む。水素ステーション（図示せず）全体の回路構成図を表す回路データは、記憶部１５０内に予め格納されている。検査者が、識別子「ＰＩ−１０１」に対応する計器の確認を求めていると判断した動作制御部１４０は、回路データから、識別子「ＰＩ−１０１」に対応する計器を含む部位のデータを抽出する。動作制御部１４０は、抽出されたデータを記憶部１５０から読み出し、画像生成要求として画像生成部１１０に出力する。この結果、画像生成部１１０は、識別子「ＰＩ−１０１」に対応する計器を含む部位の回路構成図を表す画像信号を生成する。画像信号は、画像生成部１１０から表示部１２０に出力される。この結果、識別子「ＰＩ−１０１」に対応する計器を含む部位の回路構成図が、表示部１２０に表示される。表示部１２０に表示される回路構成図は、水素ステーション全体の回路構成図ではなく、指定された計器を確認するために必要とされる回路構成図の一部分であるので、細かすぎる画像にならない。したがって、検査者は、検査者が指定した計器（すなわち、識別子「ＰＩ−１０１」に対応する計器）を表示部１２０内の回路構成図から容易に見出すことができる。図４に示される回路構成図ＣＳＩに含まれる識別子「ＰＩ−１０１」，「ＰＩ−２０１」，「ＰＩ−３０１」，「ＰＩ−４０１」にそれぞれ対応する計器の像の間に示される枠は、水素ステーションに用いられる様々な設備（弁や圧縮機のシリンダ）を意味する。検査者は、これらの設備を手掛かりに、水素ステーション上の計器を、回路構成図ＣＳＩ中の計器に対応付けることもできる。したがって、検査者は、計器の確認を、効率的に行うこともできる。検査者は、隣接する計器間の圧力差を参照して、これらの計器の間に配置された設備が正常に動作しているか否かを確認することができる。
【００５３】
画像ＩＭ３は、写真画像ＰＧＩを含む。予め設定された複数の検査箇所の全て又は一部それぞれの写真画像を表す写真データは、記憶部１５０に予め格納されている。検査者が、識別子「ＰＩ−１０１」に対応する計器の確認を求めていると判断した動作制御部１４０は、識別子「ＰＩ−１０１」に対応する計器の写真データを記憶部１５０から読み出す。読み出された写真データは、画像生成要求として、動作制御部１４０から画像生成部１１０へ出力される。画像生成部１１０は、写真データから画像信号を生成する。画像信号は、画像生成部１１０から表示部１２０へ出力される。この結果、識別子「ＰＩ−１０１」に対応する計器の写真画像ＰＧＩは、表示部１２０に表示される。写真画像ＰＧＩには、計器だけでなく、計器の周囲に存在する構造も映し出されている。したがって、検査者が検査対象として認識している計器が、写真画像ＰＧＩ中の計器と相違しているならば、これらの計器間の不整合を直ぐに気付くことができる。したがって、検査上のヒューマンエラーのリスクは、大幅に低減される。
【００５４】
図３に示されるように、識別子「ＰＩ−１０１」，「ＰＩ−２０１」，「ＰＩ−３０１」，「ＰＩ−４０１」，「ＰＩ−５０１」は、垂直方向に順に並べられている。図４に示されるように、識別子「ＰＩ−１０１」，「ＰＩ−２０１」，「ＰＩ−３０１」，「ＰＩ−４０１」は、水平方向に順に並べられている。識別子の表示は、図３と図４との間で整列方向において異なるけれども、整列順序において一致している。したがって、検査者は、回路構成図に示される順序にしたがって、位置ボタン像ＰＢ１〜ＰＢ５に対応する入力ウィンドウＩＷ１〜ＩＷ５に検査結果を入力することができる。この結果、検査漏れのリスクは、大幅に低減される。
【００５５】
図５は、検査者が、完了ボタン像ＣＢＩ（図３を参照）を押圧したときに表示部１２０に表示される入力画像ＩＰ２である。図１、図３及び図５を参照して、入力画像ＩＰ２が説明される。
【００５６】
検査者が、完了ボタン像ＣＢＩを押圧すると、入力部１３０は、押圧位置を表す入力信号を生成する。入力画像ＩＰ１を表す画像信号の生成を画像生成部１１０に要求した動作制御部１４０は、入力信号が表す押圧位置から、検査者が、入力画像ＩＰ１を用いて実行された水素の圧力の検査とは内容において異なる検査項目を検査しようとしていると判断する。動作制御部１４０は、図５に示される入力画像ＩＰ２を表示するための画像信号の生成を要求する画像生成要求を生成する。画像生成要求は、動作制御部１４０から画像生成部１１０へ出力される。画像生成部１１０は、画像生成要求に応じて、入力画像ＩＰ２を表示するための画像信号を生成する。画像信号は、画像生成部１１０から表示部１２０へ出力される。表示部１２０は、画像信号に応じて、入力画像ＩＰ２を表示する。入力画像ＩＰ２は、水素ステーション（図示せず）の低圧ラインでの水素の漏れの検査結果を入力するために用いられる。本実施形態に関して、入力画像ＩＰ２は、第２入力画像の一例である。水素の漏れは、第２検査項目の一例である。
【００５７】
入力画像ＩＰ２は、位置ボタン像ＰＣ１〜ＰＣ５と、入力ウィンドウＩＸ１〜ＩＸ５と、漏値ウィンドウＬＷ１〜ＬＷ５と、を含む。検査者が、位置ボタン像ＰＣ１〜ＰＣ５のうちいずれかを押圧すると、回路構成画像及び写真画像を含む画像が、表示部１２０に表示される。本実施形態に関して、位置ボタン像ＰＣ１〜ＰＣ５は、複数のアイコンの一例である。
【００５８】
検査者が、所定の検査ツールを用いて、「検査箇所１」〜「検査箇所５」において、水素の漏れを検査する。検査者が、「検査箇所１」〜「検査箇所５」それぞれにおける水素漏れの検査を終えると、入力ウィンドウＩＸ１〜ＩＸ５を押圧する。検査者が、入力ウィンドウＩＸ１〜ＩＸ５を押圧すると、入力部１３０は、押圧位置を表す入力信号を生成する。入力画像ＩＰ２を表す画像信号の生成を画像生成部１１０に要求した動作制御部１４０は、入力信号が表す押圧位置から、検査者が、入力ウィンドウＩＸ１〜ＩＸ５にチェックマークを入れようとしていると判定する。動作制御部１４０は、入力ウィンドウＩＸ１〜ＩＸ５内にチェックマークを表示するための画像信号の生成を要求する画像生成要求を生成する。画像生成要求は、動作制御部１４０から画像生成部１１０へ出力される。画像生成部１１０は、画像生成要求に応じて、入力ウィンドウＩＸ１〜ＩＸ５内にチェックマークを表示するための画像信号を生成する。画像信号は、画像生成部１１０から表示部１２０へ出力される。表示部１２０は、画像信号に応じて、入力ウィンドウＩＸ１〜ＩＸ５内にチェックマークを表示する。
【００５９】
検査者が、所定の検査ツールを用いて、「検査箇所１」で水素の漏れを検査し終えると、検査者は、位置ボタン像ＰＣ１の右側の入力ウィンドウＩＸ１を押圧する。この結果、チェックマークが、入力ウィンドウＩＸ１内に表示される。検査者が、所定の検査ツールを用いて、「検査箇所２」で水素の漏れを検査し終えると、検査者は、位置ボタン像ＰＣ２の右側の入力ウィンドウＩＸ２を押圧する。この結果、チェックマークが、入力ウィンドウＩＸ２内に表示される。検査者が、所定の検査ツールを用いて、「検査箇所３」で水素の漏れを検査し終えると、検査者は、位置ボタン像ＰＣ３の右側の入力ウィンドウＩＸ３を押圧する。この結果、チェックマークが、入力ウィンドウＩＸ３内に表示される。検査者が、所定の検査ツールを用いて、「検査箇所４」で水素の漏れを検査し終えると、検査者は、位置ボタン像ＰＣ４の右側の入力ウィンドウＩＸ４を押圧する。この結果、チェックマークが、入力ウィンドウＩＸ４内に表示される。検査者が、所定の検査ツールを用いて、「検査箇所５」で水素の漏れを検査し終えると、検査者は、位置ボタン像ＰＣ５の右側の入力ウィンドウＩＸ５を押圧する。この結果、チェックマークが、入力ウィンドウＩＸ５内に表示される。
【００６０】
水素の漏れが、「検査箇所１」乃至「検査箇所５」のいずれかにおいて確認されるならば、検査者は、水素漏れが生じている検査箇所に対応する漏値ウィンドウに、検査ツールが指し示す漏値を記入する。水素漏れが、「検査箇所１」で確認されるならば、検査者は、漏値を、入力ウィンドウＩＸ１の右側の漏値ウィンドウＬＷ１に入力する。水素漏れが、「検査箇所２」で確認されるならば、検査者は、漏値を、入力ウィンドウＩＸ２の右側の漏値ウィンドウＬＷ２に入力する。水素漏れが、「検査箇所３」で確認されるならば、検査者は、漏値を、入力ウィンドウＩＸ３の右側の漏値ウィンドウＬＷ３に入力する。水素漏れが、「検査箇所４」で確認されるならば、検査者は、漏値を、入力ウィンドウＩＸ４の右側の漏値ウィンドウＬＷ４に入力する。水素漏れが、「検査箇所５」で確認されるならば、検査者は、漏値を、入力ウィンドウＩＸ５の右側の漏値ウィンドウＬＷ５に入力する。
【００６１】
図６は、記録装置１００の例示的な動作を表す概略的なフローチャートである。図１乃至図６を参照して、記録装置１００の動作が説明される。
【００６２】
（ステップＳ１０５）
記録装置１００は、点検作業の種類を表す画像（図２Ａを参照）を表示部１２０に表示する。その後、ステップＳ１１０が実行される。
【００６３】
（ステップＳ１１０）
検査者が、日常点検を表すボタン像ＢＴ１（図２Ａを参照）を押圧すると、ステップＳ１１５が実行される。検査者が、月次点検を表すボタン像ＢＴ２（図２Ａを参照）を押圧すると、ステップＳ１７０が実行される。
【００６４】
（ステップＳ１１５）
記録装置１００は、領域選択画像（図２Ｂを参照）を表示部１２０に表示する。その後、ステップＳ１２０が実行される。
【００６５】
（ステップＳ１２０）
検査者が、圧縮機を表すボタン像ＡＢ１（図２Ｂを参照）を押圧すると、ステップＳ１２５が実行される。他の場合には、ステップＳ１３５が実行される。
【００６６】
（ステップＳ１２５）
記録装置１００は、圧縮機用の表示処理（図３乃至図５を参照）を実行する。図３及び図５に示される水素の圧力や水素の漏れの検査結果を入力するための入力画像の表示に加えて、記録装置１００の表示部１２０は、水素の温度の検査結果を入力するための入力画像を、ステップＳ１２５において表示してもよい。圧縮機用の表示処理が終わると、ステップＳ１３０が実行される。
【００６７】
（ステップＳ１３０）
記録装置１００の動作制御部１４０は、記憶部１５０内に格納された検査結果のデータを検証し、全ての対象（すなわち、圧縮機、冷凍機、蓄圧器、ディスペンサ及び冷却水）に対する検査が完了しているか否かを判断する。全ての対象に対する検査が完了しているならば、ステップＳ１７５が実行される。他の場合には、ステップＳ１１５が実行される。
【００６８】
（ステップＳ１３５）
検査者が、冷凍機を表すボタン像ＡＢ２（図２Ｂを参照）を押圧すると、ステップＳ１４０が実行される。他の場合には、ステップＳ１４５が実行される。
【００６９】
（ステップＳ１４０）
記録装置１００は、冷凍機用の表示処理を実行する。たとえば、記録装置１００の表示部１２０は、ブラインの漏れの有無を入力するための入力画像を、ステップＳ１４０において表示してもよい。冷凍機用の表示処理が終わると、ステップＳ１３０が実行される。
【００７０】
（ステップＳ１４５）
検査者が、蓄圧器を表すボタン像ＡＢ３（図２Ｂを参照）を押圧すると、ステップＳ１５０が実行される。他の場合には、ステップＳ１５５が実行される。
【００７１】
（ステップＳ１５０）
記録装置１００は、蓄圧器用の表示処理を実行する。たとえば、記録装置１００の表示部１２０は、水素の圧力、水素の漏れの有無や水素の温度を入力するための入力画像を、ステップＳ１５０において表示してもよい。蓄圧器用の表示処理が終わると、ステップＳ１３０が実行される。
【００７２】
（ステップＳ１５５）
検査者が、ディスペンサを表すボタン像ＡＢ４（図２Ｂを参照）を押圧すると、ステップＳ１６０が実行される。検査者が、冷却水を表すボタン像ＡＢ５（図２Ｂを参照）を押圧すると、ステップＳ１６５が実行される。
【００７３】
（ステップＳ１６０）
記録装置１００は、ディスペンサ用の表示処理を実行する。たとえば、記録装置１００の表示部１２０は、水素の圧力、水素の漏れの有無や水素の温度を入力するための入力画像を、ステップＳ１６０において表示してもよい。ディスペンサ用の表示処理が終わると、ステップＳ１３０が実行される。
【００７４】
（ステップＳ１６５）
記録装置１００は、冷却水用の表示処理を実行する。たとえば、記録装置１００の表示部１２０は、冷却水の汚れ具合、冷却水に注入された薬液の残量、冷却水の温度や冷却水の漏れの有無を入力するための入力画像を、ステップＳ１６５において表示してもよい。冷却水用の表示処理が終わると、ステップＳ１３０が実行される。
【００７５】
（ステップＳ１７０）
記録装置１００は、月次点検用の表示処理を実行する。月次点検用の表示処理は、ステップＳ１１５乃至ステップＳ１６５と同様であってもよい。ステップＳ１１５乃至ステップＳ１６５に関する説明は、ステップＳ１７０に援用される。月次点検用の表示処理が終わると、ステップＳ１７５が実行される。
【００７６】
（ステップＳ１７５）
記録装置１００の動作制御部１４０は、出力要求を生成する。出力要求は、動作制御部１４０から出力部１６０へ出力される。出力部１６０は、記憶部１５０から検査結果を読み出し、検査結果を表す無線信号を生成する。無線信号は、出力部１６０から外部装置２００へ出力される。外部装置２００がプリンタであるならば、外部装置２００は、無線信号によって表される検査結果を印刷する。外部装置２００が、コンピュータサーバであるならば、外部装置２００は、無線信号によって表される検査結果を格納する。検査者は、外部装置２００に格納された検査結果をその後分析してもよい。本実施形態に関して、ステップＳ１７５の直前に入力処理を受けた入力画像は、第１入力画像の一例である。
【００７７】
図７は、ステップＳ１２５、ステップ１４０、ステップＳ１５０、ステップＳ１６０又はステップＳ１６５における動作制御部１４０の例示的な動作を表す概略的なフローチャートである。図１、図３乃至図７を参照して、動作制御部１４０の動作が説明される。
【００７８】
（ステップＳ２０５）
動作制御部１４０は、検査対象（すなわち、圧縮機、冷凍機、蓄圧器、ディスペンサ又は冷却水）の表示処理に用いられるカウント値「ｎ」を「０」に設定する。その後、ステップＳ２１０が実行される。
【００７９】
（ステップＳ２１０）
動作制御部１４０は、カウント値「ｎ」を「１」だけ増分する。その後、ステップＳ２１５が実行される。
【００８０】
（ステップＳ２１５）
動作制御部１４０は、入力画像の表示に必要とされる画像データを記憶部１５０から読み出し、画像生成要求を生成する。画像生成要求は、動作制御部１４０から画像生成部１１０へ出力される。画像生成部１１０は、画像生成要求に応じて、画像信号を生成する。画像信号は、画像生成部１１０から表示部１２０へ出力される。表示部１２０は、画像信号に応じて、入力画像を表示する（図３及び図５を参照）。圧縮機用の入力画像（図３及び図５を参照）と同様に、冷凍機、蓄圧器、ディスペンサ及び冷却水それぞれの検査結果を入力するための入力画像も複数の検査箇所をそれぞれ表す複数のアイコンと複数の検査箇所に対応してそれぞれ表示される複数の入力ウィンドウを含んでもよい。入力画像が表示されると、ステップＳ２２０が実行される。
【００８１】
（ステップＳ２２０）
動作制御部１４０は、検査者が、回路構成図の表示を要求しているか否かを判断する。たとえば、検査者が、位置ボタン像ＰＢ１〜ＰＢ５のいずれか（図３を参照）や位置ボタン像ＰＣ１〜ＰＣ５のいずれか（図５を参照）を押圧しているならば、動作制御部１４０は、入力部１３０から出力された入力信号に基づいて、検査者が回路構成図の表示を要求していると判断することができる。検査者が、回路構成図の表示を要求しているならば、ステップＳ２２５が実行される。他の場合には、ステップＳ２３５が実行される。
【００８２】
（ステップＳ２２５）
動作制御部１４０は、検査者が望む検査箇所の周囲の回路構成図のデータや検査者が望む検査箇所及び当該検査箇所の周囲の構造を表す水素ステーションの一部の写真データを、記憶部１５０から読み出し、画像生成要求を生成する。画像生成要求は、動作制御部１４０から画像生成部１１０へ出力される。画像生成部１１０は、画像生成要求に応じて、画像信号を生成する。画像信号は、画像生成部１１０から表示部１２０へ出力される。表示部１２０は、画像信号に応じて、回路構成図や写真画像を表示する（図４を参照）。その後、ステップＳ２３０が実行される。
【００８３】
（ステップＳ２３０）
動作制御部１４０は、入力画像への復帰の要求を待つ。回路構成図や写真画像を参照し、検査箇所を確認した検査者は、入力部１３０に対して所定の操作（たとえば、復帰ボタン像（図示せず）の押圧）をし、入力画像への復帰を要求してもよい。動作制御部１４０は、入力部１３０に対する操作の結果生じた入力信号に基づき、検査者が、入力画像への復帰を要求しているか否かを判断することができる。検査者が、入力画像への復帰を要求しているならば、ステップＳ２１５が実行される。
【００８４】
（ステップＳ２３５）
入力画像が、表示部１２０に表示されている間、検査者は、入力部１３０を操作し、検査結果を入力することができる。検査結果の入力が完了すると（たとえば、入力ウィンドウＩＷ１〜ＩＷ５（図３を参照）又は入力ウィンドウＩＸ１〜ＩＸ５（図５を参照）への入力が完了すると）、検査者は、入力の完了を通知するための完了受付像（たとえば、図３の完了ボタン像ＣＢＩ）を押圧する。入力部１３０は、完了受付像が押圧されたことを表す入力信号を生成する。入力信号は、入力部１３０から動作制御部１４０へ出力される。動作制御部１４０は、入力信号を参照し、完了受付像が押圧されたか否かを判断することができる。検査者が、完了受付像を押圧しているならば、ステップＳ２４０が実行される。他の場合には、ステップＳ２１５が実行される。
【００８５】
（ステップＳ２４０）
動作制御部１４０は、入力画像中の全ての入力ウィンドウに検査結果が入力されているか否かを検証する。入力画像中の全ての入力ウィンドウに検査結果が入力されているならば、ステップＳ２４５が実行される。他の場合には、ステップＳ２５０が実行される。
【００８６】
（ステップＳ２４５）
動作制御部１４０は、カウント値「ｎ」が、検査対象（すなわち、圧縮機、冷凍機、蓄圧器、ディスペンサ又は冷却水）用に用意された入力画像の総数「Ｎ」に一致しているか否かを判定する。カウント値「ｎ」が、総数「Ｎ」に等しいならば、ステップＳ１３０が実行される。他の場合には、ステップＳ２１０が実行される。
【００８７】
（ステップＳ２５０）
動作制御部１４０は、画像生成部１１０に、エラーメッセージの表示を要求する。画像生成部１１０は、エラーメッセージの表示の要求に応じて、エラーメッセージを表す画像信号を生成する。画像信号は、画像生成部１１０から表示部１２０へ出力される。表示部１２０は、画像信号に応じて、エラーメッセージを表示する。検査者は、エラーメッセージを見て、検査漏れ及び／又は入力漏れに気付くことができる。したがって、検査上のヒューマンエラーのリスクは、大幅に低減される。エラーメッセージの表示の要求の後、ステップＳ２１５が実行される。
【００８８】
ステップＳ２１５、ステップＳ２２０、ステップＳ２３５及びステップＳ２４５からなる処理ループは、カウント値「ｎ」が、総数「Ｎ」に一致するまで繰り返される。この間、表示部１２０に表示される複数の入力画像は、内容において相違する（図３及び図５を参照）。したがって、検査者は、内容において異なる複数の入力画像を表示部１２０に順次表示し、検査結果を入力することができる。この結果、検査漏れのリスクは、非常に低くなる。ステップＳ２１５、ステップＳ２２０、ステップＳ２３５及びステップＳ２４５からなる処理ループにおいて、図３及び図５に示される水素の圧力及び水素の漏れだけでなく、水素の温度、水素の流量や他の様々な検査項目の検査結果を入力するための入力画像が表示されることができる。本実施形態の原理は、ステップＳ２１５、ステップＳ２２０、ステップＳ２３５及びステップＳ２４５からなる処理ループにおいて表示される入力画像によって指定される特定の検査項目に限定されない。
【００８９】
本実施形態に関して、圧縮機、冷凍機、蓄圧器、ディスペンサ及び冷却水は、検査対象として示されている。しかしながら、他の装置或いは他の対象物が、検査対象として検査されてもよい。たとえば、検査対象は、圧縮機、冷凍機、蓄圧器及びディスペンサを繋ぐ連絡配管であってもよい。この場合、連絡配管を流れる水素の圧力や温度並びに連絡配管からの水素の漏れが検査項目として設定されてもよい。水素ステーション内で流れる窒素も、検査対象として検査されてもよい。たとえば、窒素の圧力が、検査項目として設定されることができる。本実施形態の原理は、特定の検査対象及び特定の検査項目に限定されない。
【産業上の利用可能性】
【００９０】
上述の実施形態の原理は、タンク搭載装置のタンクに水素を供給する水素ステーションに好適に利用される。
【符号の説明】
【００９１】
１００・・・・・・・・・・・・・・・記録装置
１１０・・・・・・・・・・・・・・・画像生成部
１２０・・・・・・・・・・・・・・・表示部
１５０・・・・・・・・・・・・・・・記憶部
１６０・・・・・・・・・・・・・・・出力部
ＣＢＩ・・・・・・・・・・・・・・・完了ボタン像（完了受付像）
ＣＳＩ・・・・・・・・・・・・・・・回路構成画像
ＩＭ２・・・・・・・・・・・・・・・画像（領域選択画像）
ＩＰ１・・・・・・・・・・・・・・・入力画像（第１入力画像：圧縮機用の入力画像）
ＩＰ２・・・・・・・・・・・・・・・入力画像（第２入力画像：圧縮機用の入力画像）
ＩＷ１〜ＩＷ５・・・・・・・・・・・入力ウィンドウ
ＩＸ１〜ＩＸ５・・・・・・・・・・・入力ウィンドウ
ＰＢ１〜ＰＢ５・・・・・・・・・・・位置ボタン像（複数のアイコン）
ＰＣ１〜ＰＣ５・・・・・・・・・・・位置ボタン像（複数のアイコン）
ＰＧＩ・・・・・・・・・・・・・・・写真画像
【図１】
2019028675.tif 000003
【図２Ａ】
2019028675.tif 000004
【図２Ｂ】
2019028675.tif 000005
【図３】
2019028675.tif 000006
【図４】
2019028675.tif 000007
【図５】
2019028675.tif 000008
【図６】
2019028675.tif 000009
【図７】
2019028675.tif 000010